【事件の表示】
　特願２０１０−１４８５０６「人工榾木による茸の散水栽培方法」拒絶査定不服審判事件〔平成２４年　１月１９日出願公開、特開２０１２−　１０６２４〕について、次のとおり審決する。
【結　論】
　本件審判の請求は、成り立たない。
【理　由】
１．手続の経緯
　本願は，平成２２年６月３０日の出願であって，平成２４年１２月１１日付けで拒絶査定がなされ，これに対し，平成２５年２月６日に拒絶査定不服審判請求がなされたものである。
　
　
２．本願発明
　本願の請求項１乃至３に係る発明は，平成２４年８月２９日付け手続補正書で補正された特許請求の範囲の請求項１乃至３に記載された事項により特定されるところ，そのうち請求項１に係る発明（以下，「本願発明」という。）は，次のとおりである。
「空調装置と散水装置を備えたハウス内に，多段の栽培棚を配置し，栽培棚に多数の完熟榾木を載置し，多数の散水ノズルで棚上から散水することにより茸を発芽・育成させる人工榾木による茸の散水栽培方法において，一個の散水ノズルは，１分間に水圧２．０〜３．０ｋｇｆ／ｃｍ２にて散水量が０．４〜０．８ｌ／分であって，１日０．５〜３．０時間散水し，１個の重量が０．９〜１．３ｋｇとして製造した人工榾木について，茸の発生分を除いて５ｇ以上／日の減少が発生しないように散水管理を行うことを特徴とする人工榾木による茸の散水栽培方法。」
　
　
３．引用刊行物　
（１）刊行物１　
　原査定の拒絶の理由に引用され，本願出願前に頒布された刊行物である，特開平８−２５６５９６号公報（以下，「刊行物１」という。）には，図面と共に，次の記載がある。　
（１ａ）「【０００１】　
【産業上の利用分野】本発明は，
培養工程を終了したしいたけの人工榾木を，空調施設内に設置し，しいたけを人工栽培する方法
　
（１ｂ）「【０００８】次に，本発明を詳しく説明する。本発明の栽培方法は，例えば図１に示すような，
空調機を備えた栽培ハウス１（空調施設）内にて行う。
栽培ハウスの天井には
人工榾木に散水を行うための散水ノズル１０が配置されており，人工榾木６に対して略均一に散水することができるようになって
　
（１ｃ）「【００１０】次に，上記栽培ハウス１と人工榾木６を用いて本発明のしいたけの人工栽培方法は，例えば次のようにして行われる。すなわち，人工榾木６を栽培ハウス１内の栽培棚５の上に並べ，栽培を行う。・・・
【００１１】そして，本発明では更に，前述のように，人工榾木を上記微風下に一定時間保持することにより，
榾木重量の変化率を±０．５％以下／日
に維持しつつ栽培する
栽培期間中の榾木の重量を１日のうち一定時刻に測定し，翌日，前日と同時刻に測定した榾木重量の，前日重量に対する増減割合を算出した数値
１日に０．５％を越えて減量しているときは，榾木が乾燥しすぎて水分が激減したためであり
　
（１ｄ）「【００１４】更に，しいたけの生育には，７０〜９０％ＲＨ程度の湿度が好ましいため，栽培工程において，湿度管理のために散水や加湿，または換気や除湿を定期的に行うことが望ましい。例えば，
散水する場合には
３０分〜３時間程度行えば
人工榾木の吸水効果を発揮する
散水は１日１回
【００１５】上述の環境下で約３〜６カ月間栽培を行えば、その間に、人工榾木から季節に関係なく、早期に
しいたけが次々と発茸し、しいたけの収量安定化を図ることができる
　
（１ｅ）「【００１７】次に，本発明を実施例を挙げて具体的に説明する。
〈実施例１〜９，比較例１〜２〉
木粉，米ぬか，ふすまを８：１：１に加水混合した培地材料を，ポリプロピレン製袋に１ｋｇ充填し，レトルト殺菌し
，しいたけ種菌を接種し，通気性キャップを装着し，容器内で培養したのち，容器から取り出して更に培養し，完熟した人工榾木を各試験用に３６４個ずつ用意し
栽培ハウス内の多段式栽培棚に（幅６０×長さ２４０×高さ１６０ｃｍ，７段）に一段当たり５２個（４×１３個）配列し
散水は，毎日１時間ずつ行
　
（１ｆ）上記記載事項（１ｂ）を参照して図１，２をみると，栽培ハウス１内に散水ノズル１０が多数配置されていることが明らかである。
　
　これら記載事項（１ａ）乃至（１ｆ）及び図面の記載から，刊行物１には，次の発明が記載されているものと認められる。　
　「培養工程を終了したしいたけの人工榾木を，空調施設内に設置し，しいたけを人工栽培する方法において，空調機を備えた栽培ハウス１（空調施設）内にて，栽培ハウスの天井には人工榾木に散水を行うための散水ノズル１０が多数配置されており，人工榾木６に対して略均一に散水することができるようになっており，木粉，米ぬか，ふすまを８：１：１に加水混合した培地材料を，ポリプロピレン製袋に１ｋｇ充填し，レトルト殺菌し，しいたけ種菌を接種し，通気性キャップを装着し，容器内で培養したのち，容器から取り出して更に培養し，完熟した人工榾木を各試験用に３６４個ずつ用意し，栽培ハウス内の多段式栽培棚に（幅６０×長さ２４０×高さ１６０ｃｍ，７段）に一段当たり５２個（４×１３個）配列し，散水は，毎日１時間ずつ行い，栽培期間中の榾木の重量を１日のうち一定時刻に測定し，翌日，前日と同時刻に測定した榾木重量の，前日重量に対する増減割合を算出した数値である，榾木重量の変化率を±０．５％以下／日に維持しつつ栽培するが，人工榾木の吸水効果を発揮する３０分〜３時間程度１日１回散水することにより，しいたけが次々と発茸し、しいたけの収量安定化を図ることができるしいたけを人工栽培する方法。」（以下，「刊行物１記載の発明」という。）　
　
　
４．対比　
（１）本願発明と刊行物１記載の発明とを対比する。　
（ａ）刊行物１記載の発明の「空調機を備えた栽培ハウス１（空調施設）内にて，栽培ハウスの天井には人工榾木に散水を行うための散水ノズル１０が多数配置されており」は，栽培ハウス１内には空調機と散水ノズル１０が配置されているから、本願発明の「空調装置と散水装置を備えたハウス内」に相当する。　
　
（ｂ）刊行物１記載の発明の「完熟した人工榾木を各試験用に３６４個ずつ用意し，栽培ハウス内の多段式栽培棚に（幅６０×長さ２４０×高さ１６０ｃｍ，７段）に一段当たり５２個（４×１３個）配列し，散水は，毎日１時間ずつ行」うことは、７段である「多段式栽培棚」に一段当たり５２個（４×１３個）の「完熟した人工榾木」を配置するから、本願発明の「多段の栽培棚を配置し，栽培棚に多数の完熟榾木を載置し」に相当する。また，刊行物１記載の発明の「散水」方法は「栽培ハウスの天井には人工榾木に散水を行うための散水ノズル１０が多数配置されており，人工榾木６に対して略均一に散水することができるようになって」いるから、本願発明の「多数の散水ノズルで棚上から散水すること」に相当する。　
　
（ｃ）刊行物１記載の発明の「しいたけが次々と発茸し、しいたけの収量安定化を図ることができるしいたけを人工栽培する方法」は、「茸を発芽・育成させる人工榾木による茸の散水栽培方法」に相当する。
　
（ｄ）刊行物１記載の発明の「３０分〜３時間程度１日１回散水する」は，本願発明の「１日０．５〜３．０時間散水し」に相当する。　
　
（ｅ）刊行物１記載の発明の「人工榾木」は，「木粉，米ぬか，ふすまを８：１：１に加水混合した培地材料を，ポリプロピレン製袋に１ｋｇ充填し，レトルト殺菌した。冷却後，しいたけ種菌を接種し，通気性キャップを装着し，容器内で培養したのち，容器から取り出して更に培養し，完熟した人工榾木」（刊行物１【００１７】）であるので，「人工榾木」１個の重量は当初１ｋｇであり，「榾木重量の変化率」は±０．５％以下／日であるから，１ｋｇ×±０．５／１００＝±５ｇ以下／日と算出される。
　そうすると，刊行物１記載の発明は，人工榾木１個の重量は製造時において１ｋｇであり，榾木重量の変化率を±５ｇ以下／日に維持するように散水し栽培するものといえ，本願発明の「１個の重量が０．９〜１．３kgとして製造した人工榾木について，茸の発生分を除いて５ｇ以上／日の減少が発生しないように散水管理を行う」に対し「１個の重量が１kgとして製造した人工榾木について，茸の発生分を除いて５ｇ以上／日の減少が発生しないように散水管理を行う」点で一致する。
　
（ｆ）上記（ａ）〜（ｅ）から，刊行物１記載の発明と本願発明とは，
　
「空調装置と散水装置を備えたハウス内に，多段の栽培棚を配置し，栽培棚に多数の完熟榾木を載置し，多数の散水ノズルで棚上から散水することにより茸を発芽・育成させる人工榾木による茸の散水栽培方法において，１日０．５〜３．０時間散水し，１個の重量が１ｋｇとして製造した人工榾木について，茸の発生分を除いて５ｇ以上／日の減少が発生しないように散水管理を行う人工榾木による茸の散水栽培方法。」である点で一致し，以下の点で相違している。
　
相違点１：一個の散水ノズルに関して，本願発明は，「１分間に水圧２．０〜３．０ｋｇｆ／ｃｍ２にて散水量が０．４〜０．８ｌ／分」であるのに対し，刊行物１記載の発明には明記がない点。
　
相違点２：散水管理において，本願発明では「１個の重量が０．９〜１．３ｋｇとして製造した人工榾木」であるのに対して，刊行物１記載の発明は１個の重量が１ｋｇとして製造した人工榾木である点。　
　
　
５．判断
　上記，相違点について検討する。
（１）相違点１について　
　刊行物１記載の発明は，人工榾木への過剰散水による水分の過剰吸収及び過剰乾燥による水分の激減を防止するために，榾木重量の変化率を±０．５％以下／日に維持し，３０分〜３時間程度１日１回散水するものであり，上記４．（１）（ｅ）に記載のように，人工榾木の重量が５ｇ以上／日の減少が発生しないように榾木重量の変化率に応じて，必要とする散水量及び散水時間を調整することになる。　
　そして，一個の散水ノズルにおける散水量は，必要とする散水量及び散水時間と散水ノズルの数に応じて決定されるものであり，また，人工榾木による茸の散水栽培方法において，一個の散水ノズルの散水量を調整することは，周知の事項（一例として，特開平６−３１９３７１号公報【００２０】には，一個の散水ノズルの散水量を０．８ｌ／分とすることが記載されている。）にすぎず，「散水量０．４〜０．８ｌ／分」となすことに格別困難性を有するものとは認められない。
　そして，一個の散水ノズルの水圧は，一個の散水ノズルの所望とする１分あたりの散水量及び散水ノズルの口径に応じて決定すべきものであり，「２．０〜３．０ｋｇｆ／ｃｍ２」のように好適な水圧に設定することは当業者が容易に想到し得るものである。
　なお，本願明細書をみても、本願発明が散水量０．４〜０．８ｌ／分とするにあたり、水圧として特に「２．０〜３．０ｋｇｆ／ｃｍ２」なる値を採用したことにより，茸の栽培に関して，引用発明から予期しがたい格別の効果が生ずるようなものであるとは認められない。　
　
（２）相違点２について
　刊行物１記載発明では，１個の重量が１ｋｇとして製造した人工榾木であり，人工榾木の重量変化率の維持及び管理を行うのであるから，人工榾木の１個の重量を好ましい上限及び下限の範囲に設定すること，すなわち，上記相違点２に係る本願発明の構成となすことは，当業者が適宜なし得た程度のことである。　
　また，本願発明全体の効果は，刊行物１記載の発明から当業者が予測し得る範囲のものであって格別なものということができない。
　したがって，本願発明は，刊行物１記載の発明及び周知の事項に基づいて当業者が容易に発明をすることができたものであるから，特許法第２９条第２項の規定により特許を受けることができない。
　
　
６．むすび 
　以上のとおり，本願発明は当業者が刊行物１に記載された発明及び周知の事項に基づいて容易に発明をすることができたものであるから，本願の他の請求項に係る発明について検討するまでもなく，特許法第２９条第２項の規定により特許を受けることができない。
　
　よって，結論のとおり審決する。